(57)【要約】【課題】大当たり等の入賞に至るまでの過程に遊技者の興趣を抱かせることができるパチンコ遊技機を提供する。【解決手段】遊技盤３上の遊技領域３ａに打ち込まれた遊技球が遊技領域３ａを流下して特定入賞口１７に入賞するまでの流下経路に、遊技球を検出する検出手段として第１検出スイッチ２６、第２検出スイッチ２７を設け、遊技球が第１検出スイッチ２６、第２検出スイッチ２７に検出されることにより報知手段３５を作動させる。好ましくは、特定入賞口１７にも第３検出スイッチ１９を設け、遊技球が第３検出スイッチ１９に検出されることによっても、報知手段３５を作動させる。【選択図】  図２
2004194868.tif 000002
【特許請求の範囲】
【請求項１】
遊技盤上の遊技領域に打ち込まれた遊技球が前記遊技領域を流下して所定入賞口に入賞するまでの流下経路に、遊技球を検出する検出手段を設け、遊技球が前記検出手段に検出されることにより作動する報知手段を備えたことを特徴とするパチンコ遊技機。
【請求項２】
少なくとも２個以上の前記検出手段を、前記流下経路における、前記所定入賞口までの距離または入賞達成率が異なる位置に配設し、前記検出手段のいずれに検出されたかによって、前記報知手段の報知態様が異なるように構成したことを特徴とする請求項１記載のパチンコ遊技機。
【請求項３】
前記所定入賞口またはその付近にも前記検出手段を配設し、前記所定入賞口に遊技球が入賞することによっても、前記報知手段が作動するように構成したことを特徴とする請求項１または２記載のパチンコ遊技機。
【請求項４】
前記流下経路に植設される遊技釘またはその付近に、前記検出手段として遊技球の衝突を検出する衝突検出手段を設け、前記衝突検出手段に遊技球の衝突が検出されることにより、前記報知手段が作動するように構成したことを特徴とする請求項１、２、または、３記載のパチンコ遊技機。
【請求項５】
前記報知手段は、発光装置、画像表示装置、音声出力装置、振動発生装置、芳香発生装置のうちのいずれか、または、それらの組み合わせであることを特徴とする請求項１、２、３、または、４記載のパチンコ遊技機。
【発明の詳細な説明】
【０００１】
【発明の属する技術分野】
本発明は、パチンコ遊技機に関し、特に、入賞の過程で遊技球が検出されると報知手段が作動して、遊技者に入賞の過程を報知することができるパチンコ遊技機に関する。
【０００２】
【従来の技術】
従来のパチンコ遊技機では、遊技盤に設けられた図柄表示装置の表示態様に従って、遊技枠の所定箇所に配設された振動装置等の報知手段を作動させ、遊技者に大当たりするか否かの期待感を演出していた。
【０００３】
ところが、図柄表示装置の停止図柄に関係なく、特定の入賞口に遊技球が入賞することにより大当たりが発生するように構成されたパチンコ遊技機もある。かかるパチンコ遊技機として、複数の入賞口を有した役物内に進入した遊技球が、何れの入賞口に入るかによって、遊技者に大当りなどの特典を付与するか否かを決定するパチンコ遊技機が知られている（例えば、特許文献１参照）。
【０００４】
また、従来の衝突検出手段としては、下記特許文献２に記載されたものが知られている。
【０００５】
【特許文献１】
特開平６−７５４０号公報
【特許文献２】
特開２０００−２２５２３０公報
【０００６】
【発明が解決しようとする課題】
しかし、上記のように、図柄表示装置の停止図柄に関係なく、特定の入賞口に遊技球が入賞することにより大当たりが発生するように構成されたパチンコ遊技機にあっては、大当たりが発生するまでの過程を遊技者が認識することができないため、遊技者にとっては、何の前触れもなく大当たりが発生することとなる。このため、遊技者に大当たりへの期待感を抱かせることができず、大当たりまでの遊技過程に興趣を持たせ難いという問題があった。
【０００７】
本発明は、上記の点に鑑みてなされたもので、大当たり等の入賞に至るまでの過程に遊技者の興趣を抱かせることができるパチンコ遊技機を提供することを目的とする。
【０００８】
【課題を解決するための手段】
本発明のパチンコ遊技機は、遊技盤上の遊技領域に打ち込まれた遊技球が前記遊技領域を流下して所定入賞口に入賞するまでの流下経路に、遊技球を検出する検出手段を設け、遊技球が前記検出手段に検出されることにより作動する報知手段を備えたことを特徴とする。
【０００９】
ここで、少なくとも２個以上の前記検出手段を、前記流下経路における、前記所定入賞口までの距離または入賞達成率が異なる位置に配設し、前記検出手段のいずれに検出されたかによって、前記報知手段の報知態様が異なるように構成することが好ましい。
【００１０】
また、前記所定入賞口またはその付近にも前記検出手段を配設し、前記所定入賞口に遊技球が入賞することによっても、前記報知手段が作動するように構成することが好ましい。
【００１１】
さらに、前記流下経路に植設される遊技釘またはその付近に、前記検出手段として遊技球の衝突を検出する衝突検出手段を設け、前記衝突検出手段に遊技球の衝突が検出されることにより、前記報知手段が作動するように構成してもよい。
【００１２】
また、前記報知手段は、発光装置、画像表示装置、音声出力装置、振動発生装置、芳香発生装置のうちのいずれか、または、それらの組み合わせとすることができる。
【００１３】
【発明の実施の形態】
以下、本発明の実施の形態を図面に基づいて説明する。図１はパチンコ遊技機の正面図を示している。図１において、１はパチンコ機の木枠であり、木枠１の前には前面枠２が蝶番を介して開閉可能に装着され、前面枠２の前面にはガラス扉５を開閉可能に設けた金枠が取り付けられ、前面枠２の内側に遊技盤３が着脱可能に取り付けられる。また、遊技盤３の背面側に合成樹脂製の機構板がヒンジを介して回動可能に装着される。
【００１４】
ガラス扉５の下側に、前板７が図示しない発射レールや打球杆を覆うように開閉可能に装着され、前板７の前面には打球供給皿６が設けられる。更に、前面枠２の下部には、打球発射装置の一部を構成する打球発射ハンドル９が設けられ、また、打球供給皿６で貯留できなくなった賞球を貯留する下皿３６が設けられる。打球発射ハンドル９内部には、報知手段３５として、周知の振動モータからなる振動発生装置が設けられている。
【００１５】
遊技盤３の前面には、遊技領域３ａが外レール４ａと内レール４ｂによって区画されて形成され、これらのレール４ａ、４ｂは、打球発射装置によって発射された遊技球を遊技領域３ａ内に導き、下方に落下させる。
【００１６】
遊技領域３ａの中央上部には、画像を表示するための画像表示装置８が配置される。画像表示装置８は例えばフルカラーの液晶ディスプレイにより構成され、画像（動画）を表示する。また、遊技領域３ａには、中間部の両側に通常入賞口２１が配設され、下部の両側に通常入賞口２２が配設され、下部の中央にはチューリップ入賞口２３が配設される。さらに、遊技領域３ａの右側下部に、大入賞口を有する可変入賞装置２４が設けられる。この可変入賞装置２４の大入賞口には、電磁ソレノイド等により開閉可能な開閉扉２４ａが設けられ、開閉扉２４ａが開くことにより、多くの遊技球の入賞が可能となる。
【００１７】
遊技領域３ａの略中央には、役物として分別装置１０が配設される。分別装置１０は、遊技球を受け入れ、その転がり具合に応じて、特典付き入賞（大当り）か通常入賞かを分別するものである。分別装置１０には、上部に入口となる入球口１１が配設され、入球口１１の下方には導入樋１２が接続され、導入樋１２の下方には分別部１３が配設される。そして、分別装置１０は、入球口１１から入った遊技球を、導入樋１２を通して分別部１３に導入し、分別部１３で入賞状態の振り分けを行うように構成されている。
【００１８】
遊技領域３ａの入球口１１の上方に植設された遊技釘２５近傍には、図２に示すように、遊技球が遊技釘２５に衝突したことを検出する衝突検出手段として、第１検出スイッチ２６が設けられている。第１検出スイッチ２６は、圧電素子を用いた周知の振動センサ（ピエゾスイッチ）であり、遊技釘２５から伝搬する振動波によって遊技球が遊技釘２５に衝突したことを検出する。また、入球口１１には、そこに入球した遊技球を検出するために、近接スイッチ、マイクロスイッチ、光電スイッチ等の入球口検出スイッチ１８が取り付けられている。
【００１９】
分別装置１０は、大当り用の特定入賞孔１４に入るか、通常の普通入賞孔１５、１６に入るかによって、大当りか通常入賞かを分別する機能を持った役物であり、図２に示すように、矩形フレーム内の底部に皿状の分別部１３が固定され、その分別部１３の上方に、螺旋状の導入樋１２が、入賞した遊技球を上方から導入して分別部１３の上に転動させるように配設される。分別部１３には、遊技球が落下可能な３個の孔が、特定入賞孔１４、普通入賞孔１５、１６として形成され、導入樋１２を通して導入された遊技球は、この分別部１３上で旋回しながら転動し、特定入賞孔１４、普通入賞孔１５、１６の何れかの孔に落下する。そして、特定入賞孔１４の下部には通路１４ａが接続され、通路１４ａの下方に大当り用の特定入賞口１７（本発明の所定入賞口に相当）が配置され、特定入賞孔１４に落下した入賞球は特定入賞口１７に入るように構成されている。そして、特定入賞口１７に遊技球が入ると、大当りとなって有利な特典が遊技者に付与され、可変入賞装置２４の大入賞口の開閉扉２４ａが所定時間だけ開き、多くの遊技球の入賞が可能とされる。
【００２０】
導入樋１２の出口部１２ａには、遊技球を検出する検出手段として、近接スイッチ、マイクロスイッチ、光電スイッチ（フォトスイッチ）等の第２検出スイッチ２７が取り付けられている。すなわち、第２検出スイッチ２７は第１検出スイッチ２６よりも、特定入賞口１７に近い位置に配設され、第１検出スイッチ２６と第２検出スイッチ２７とは、特定入賞口１７までの距離が異なる位置に配設されていると言える。また、遊技球が遊技釘２５に衝突後、入球口１１に入らない場合もあることから、遊技釘２５における入賞達成率（大当たりになる確率）は、導入樋１２における入賞達成率よりも低いこととなり、第１検出スイッチ２６と第２検出スイッチ２７とは、入賞達成率が異なる位置に配設されているとも言える。
【００２１】
また、特定入賞口１７の内部には、そこを通過する遊技球つまり大当たりの入賞球を検出する検出手段として、近接スイッチ、マイクロスイッチ、光電スイッチ等の第３検出スイッチ１９が配設される。
【００２２】
一方、分別部１３の普通入賞孔１５、１６の下部に接続された通路には、排出球検出スイッチ２０が配設される。排出検出スイッチ２０は分別部１３で分別された遊技球が排出されたことを示す信号を発生し出力する。排出球検出スイッチ２０としては、近接スイッチ、マイクロスイッチ、光電スイッチ等を用いることができる。
【００２３】
図３に示すように、パチンコ遊技機に設けられた制御基板３０には、制御部であるＣＰＵ３１、ゲームのプログラム等が記憶された読み出し専用のＲＯＭ３２、連続開閉回数（ラウンド数）等のデータを一時的に記憶する読み書き可能なＲＡＭ３３、及び入出力回路３４が設けられる。
【００２４】
入出力回路３４には、第１検出スイッチ２６、第２検出スイッチ２７、第３検出スイッチ１９、特定領域スイッチ２８、及び、カウントスイッチ２９が接続される。振動センサである第１検出スイッチ２６は、遊技釘２５への遊技球の衝突による振動を検出して、その検出信号を出力する。第２検出スイッチ２７は、導入樋１２の出口部１２ａを通過した遊技球を検出して、その検出信号を出力する。第３検出スイッチ１９は、特定入賞口１７に入賞した遊技球を検出して、その検出信号を出力する。カウントスイッチ２９は、大入賞口に入賞した遊技球を検出してその検出信号を出力する。特定領域スイッチ２８は、大入賞口内の特定領域に入賞した遊技球を検出してその検出信号を出力する。これらのスイッチから出力された検出信号は、入出力回路３４を介してＣＰＵ３１に入力される。
【００２５】
また、入出力回路３４には、報知手段３５、及び、入賞装置駆動用ソレノイド２４ｂが接続される。振動発生装置である報知手段３５は、ＣＰＵ３１からの制御信号を受取って動作し、打球発射ハンドル９を振動させる。また、入賞装置駆動用ソレノイド２４ｂは、ＣＰＵ３１からの制御信号に応じて可変入賞装置２４の開閉扉２４ａを開閉する。
【００２６】
ＣＰＵ３１は、大当たり動作制御等を行う制御部である。ここで、大当たり動作制御とは、分別装置１０に入った遊技球が、導入樋１２により分別部１３上に導入されて旋回し、分別部１３の特定入賞孔１４に落下して、特定入賞口１７に入賞した場合、可変入賞装置２４の開閉扉２４ａを開閉動作させるものである。
【００２７】
次に、上記構成のパチンコ遊技機の動作を図４のフローチャートを参照して説明する。パチンコゲームの遊技中に、遊技球が遊技釘２５に衝突すると、振動センサである第１検出スイッチ２６がその衝突を検出し、検出信号をＣＰＵ３１に送る。すると、ＣＰＵ３１は、第１検出スイッチ２６による球検出があったと判断し（Ｓ１００）、報知手段３５に制御信号を送る。これにより、報知手段３５が作動し、打球発射ハンドル９を所定時間振動させる（Ｓ１０１）。一方、第１検出スイッチ２６による球検出が無い場合は、はずれとなり（Ｓ１０８）、報知手段３５は作動しない。
【００２８】
報知手段３５の作動（Ｓ１０１）後、遊技球が入球口１１に入って、導入樋１２を通り出口部１２ａを通過すると、第２検出スイッチ２７がその通過を検出し、検出信号をＣＰＵ３１に送る。すると、ＣＰＵ３１は、第２検出スイッチ２７による球検出があったと判断し（Ｓ１０２）、報知手段３５に制御信号を送る。これにより、報知手段３５が作動して、打球発射ハンドル９を所定時間振動させる（Ｓ１０３）。なお、この振動は、上述した第１検出スイッチ２６の球検出による振動よりも、大きい振動とする。一方、第２検出スイッチ２７による球検出が無い場合は、はずれとなり（Ｓ１０８）、報知手段３５は作動しない。
【００２９】
報知手段３５の作動（Ｓ１０３）後、遊技球が分別部１３の特定入賞孔１４に入って、特定入賞口１７を通過すると、第３検出スイッチ１９がその通過を検出し、検出信号をＣＰＵ３１に送る。すると、ＣＰＵ３１は、第３検出スイッチ１９による球検出があったと判断し（Ｓ１０４）、報知手段３５に制御信号を送る。これにより、報知手段３５が作動して、打球発射ハンドル９を所定時間振動させる（Ｓ１０５）。なお、この振動は、上述した第２検出スイッチ２７の球検出による振動よりも、大きい振動とする。また、第３検出スイッチ１９による球検出があると、パチンコ遊技機には特別遊技状態（大当たり）が発生する（Ｓ１０６）。すなわち、ＣＰＵ３１は入賞装置駆動用ソレノイド２４ａに制御信号を送って開閉扉２４ａを開閉させ、遊技球が入賞装置２４内に入賞できるようにする等の特別遊技状態処理を行う（Ｓ１０７）。一方、第３検出スイッチ１９による球検出が無い場合は、はずれとなり（Ｓ１０８）、特別遊技状態は発生しない。
【００３０】
以上のように、本実施形態のパチンコ遊技機では、入球口１１の上方の遊技釘２５付近に設けられた第１検出スイッチ２６、入球口１１の下方の導入樋１２に設けられた第２検出スイッチ２７、特定入賞口１７に設けられた第３検出スイッチ１９に遊技球が検出されることによって、打球発射ハンドル９が振動し、遊技者に大当たり発生までの過程を報知することとなるので、遊技者に大当たりへの期待感を抱かせ、大当たり発生までの過程に興趣を抱かせることができる。また、たとえ遊技者が余所見をしていた場合であっても、報知手段３５の作動により所定入賞口への入賞及びその前段階を認識することができる。
【００３１】
さらに、本実施形態では、第１検出スイッチ２６における検出、第２検出スイッチ２７における検出、第３検出スイッチ１９における検出の順に、打球発射ハンドル９がだんだん大きく振動する。すなわち、入賞達成率が高くなるにつれだんだん大きい振動が発生することとなるので、大当たりへの期待感を盛り上げることができる。
【００３２】
なお、本発明は上記実施形態に限定されるものではなく、例えば、報知手段３５として、振動発生装置以外に、図１に示した画像表示装置８や、発光装置、音声出力装置、芳香発生装置等を用いてもよい。あるいは、これらの装置を適宜組み合わせたものを報知手段３５としてもよい。すなわち、例えば、画像表示装置８に画像を表示させることにより、遊技者に報知することとしてもよい。また、発光装置としてランプを設け、そのランプを発光させることにより、遊技者に報知することとしてもよい。また、スピーカ等からなる音声出力装置から音声を出力して遊技者に報知することとしてもよい。また、芳香発生装置とは、例えば、芳香剤が充填された芳香室と、その芳香室を通過する空気流を発生させるファンとを備え、ファンを駆動させると芳香室からの芳香が遊技者に向けて送られるように構成されたものであり、そのような芳香発生装置を用いて芳香により遊技者に報知することとしてもよい。
【００３３】
また、各検出スイッチの種類や配設位置についても変更可能であり、例えば、遊技釘２５近傍に振動センサを設ける代わりに、遊技釘２５の直ぐ下に、フォトスイッチ等を設けることとしてもよい。
【００３４】
また、上記実施形態ではパチンコ遊技機内に役物が配設された第３種パチンコ遊技機（いわゆる権利物）に本発明を適用したが、第２種パチンコ遊技機（いわゆる羽根物）に適用してもよい。第２種パチンコ遊技機においても、所定入賞口への遊技球の入賞により大当たりが発生するので、本発明を適用することにより、大当たり発生までの過程を遊技者に報知でき、遊技過程への興趣や大当たりへの期待感を盛り上げることができる。
【００３５】
また、図柄表示装置を備え、所定図柄が揃うことにより大当たりが発生する第１種パチンコ遊技機に、本発明を適用してもよく、例えば、遊技球が入賞することにより図柄変動が開始する始動入賞口や、遊技球が入賞することにより大当たり状態が継続する継続入賞口に検出スイッチを設けて、遊技球の入賞を検出し報知することとすれば、入賞に至るまでの過程に興趣を抱かせることができ、また、遊技者はそれらの入賞口への入賞を容易に認識できることとなる。また、始動入賞口の手前に第１検出スイッチ、始動入賞口内に第２検出スイッチを設けて、遊技球が第１検出スイッチに検出されたときよりも、第２検出スイッチに検出されたときの方が大きい振動が発生するように構成し、大当たりになったときにさらに大きい振動が発生するように構成すれば、大当たり発生までの興趣をさらに盛り上げることができる。
【００３６】
すなわち、特許請求の範囲を逸脱しない範囲で、本発明は種々の実施形態を採り得る。
【００３７】
【発明の効果】
本発明のパチンコ遊技機は、遊技盤上の遊技領域に打ち込まれた遊技球が前記遊技領域を流下して所定入賞口に入賞するまでの流下経路に、遊技球を検出する検出手段を設け、遊技球が前記検出手段に検出されることにより作動する報知手段を備えているので、遊技者に所定入賞口へ入賞するまでの過程が報知されることとなる。従って、大当たり等の入賞に至るまでの過程に遊技者の興趣を抱かせることができる。
【００３８】
ここで、少なくとも２個以上の前記検出手段を、前記流下経路における、前記所定入賞口までの距離または入賞達成率が異なる位置に配設し、前記検出手段のいずれに検出されたかによって、前記報知手段の報知態様が異なるように構成すれば、興趣をさらに盛り上げることができる。
【００３９】
また、前記所定入賞口またはその付近にも前記検出手段を配設し、前記所定入賞口に遊技球が入賞することによっても、前記報知手段が作動するように構成すれば、遊技者に所定入賞口への入賞を認識させることができる。
【図面の簡単な説明】
【図１】本発明の一実施形態を示すパチンコ遊技機の正面図である。
【図２】図１のパチンコ遊技機の分別装置及びその上方の遊技釘付近の概略斜視図である。
【図３】図１のパチンコ遊技機の制御系のブロック図である。
【図４】図１のパチンコ遊技機の動作を示すフローチャートである。
【符号の説明】
３−遊技盤
３ａ−遊技領域
１７−特定入賞口
１９−第３検出スイッチ（検出手段）
２５−遊技釘
２６−第１検出スイッチ（衝突検出手段）
２７−第２検出スイッチ（検出手段）
３５−報知手段
【図１】
2004194868.tif 000003
【図２】
2004194868.tif 000004
【図３】
2004194868.tif 000005
【図４】
2004194868.tif 000006